【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
直流電源からの直流電圧をインバータ回路および共振回路によって交流変換し、フィラメントを有する相互に直列に接続された放電灯に与えて点灯駆動するようにした放電灯点灯装置において、
接続点において２つのフィラメントは、その一方の端子が互いに接続され、他方の端子間を接続し、前記２つのフィラメントと閉ループを形成するコンデンサと、
前記コンデンサの高圧の放電灯側の端子に直流電圧を印加する第１の抵抗と、
前記コンデンサの高圧の放電灯側の端子の電圧を取出す第２の抵抗と、
前記第２の抵抗によって取出された電圧が予め定める閾値以上であるか否かから、フィラメントの断線および／または端子外れを検出する第１の検出手段と、
前記コンデンサの低圧の放電灯側の端子の電圧を取出す第３の抵抗およびダイオードの直列回路と、
前記直列回路によって取出された電圧が予め定める閾値以下であるか否かから、フィラメントの断線および／または端子外れを検出する第２の検出手段と、
前記第１および第２の検出手段からの出力に応答し、前記断線および／または端子外れが検出されると、前記インバータ回路の出力を抑制または停止するとともに、予熱・始動モードでは、前記第１の検出手段からの出力を無効にする制御手段とを含むことを特徴とする放電灯点灯装置。
【請求項２】
他方のフィラメントの閉ループには、該フィラメントの予熱の電圧源を備えることを特徴とする請求項１記載の放電灯点灯装置。
【請求項３】
前記共振回路は、インバータ回路のスイッチング素子の出力を高圧側の放電灯の前記一方のフィラメントにおける一方 の端子に与える直流カット用コンデンサおよびインダクタと、前記高電位側の放電灯の一方のフィラメントにおける一方 の端子と低電位側の放電灯の一方のフィラメントにおける一方 の端子との間に設けられる共振用コンデンサとを備えて構成されることを特徴とする請求項１または２記載の放電灯点灯装置。
【請求項４】
前記共振回路は、インバータ回路のスイッチング素子の出力を高電位側の放電灯の前記一方のフィラメントの一方 の端子に与えるインダクタおよび直流カット用コンデンサと、前記インダクタと直流カット用コンデンサとの接続点と低電位側の放電灯の一方のフィラメントの一方 の端子との間に設けられる共振用コンデンサとを備えて構成されることを特徴とする請求項１または２記載の放電灯点灯装置。
【請求項５】
前記フィラメントのエミッタレスの状態を検出するエミレス検出回路をさらに備えることを特徴とする請求項１〜４の何れか１項に記載の放電灯点灯装置。
【請求項６】
前記エミレス検出回路は、直流カット用コンデンサＣ２の出力端から放電灯Ｌａ１，Ｌａ２に与えられる直流電圧を取出す抵抗Ｒ６と、前記抵抗Ｒ６で取出された電圧で充電されるコンデンサＣ８と、そのコンデンサＣ８の充電電圧を前記検出電圧ＶＫ１として前記制御手段に入力するダイオードＤ２と、前記コンデンサＣ８の充電電圧がベースに与えられ、前記制御手段の電源端子からの電流を制御するトランジスタＱ３と、前記トランジスタＱ３のベースと前記コンデンサＣ８との間に直列に挿入されるツェナダイオードＺＤ１と、前記トランジスタＱ３のベース−エミッタ間に挿入される抵抗Ｒ７と、前記トランジスタＱ３を介する電流を前記コンデンサＣ７に与えるダイオードＤ３とを備えて構成され、前記トランジスタＱ３のコレクタとダイオードＤ３のアノードとの接続点は前記第１の検出手段に接続され、トランジスタＱ３のコレクタ電流の一部が前記コンデンサＣ６に与えられ、
前記共振回路において、直流電源の正極と前記直流カット用コンデンサＣ２の出力端との間には、抵抗Ｒ８が設けられることを特徴とする請求項５記載の放電灯点灯装置。
【請求項７】
前記エミレス検出回路は、前記トランジスタＱ３のコレクタとダイオードＤ３のアノードとの間に、ツェナダイオードＺＤ２をさらに備えることを特徴とする請求項６記載の放電灯点灯装置。
【請求項８】
前記第２の検出手段は、抵抗Ｒ５と、コンデンサＣ７と、ツェナダイオードＺＤ３との並列回路で構成されることを特徴とする請求項１〜７の何れか１項に記載の放電灯点灯装置。
【手続補正２】
【補正対象書類名】明細書
【補正対象項目名】００２４
【補正方法】変更
【補正の内容】
【００２４】
本発明の放電灯点灯装置は、直流電源からの直流電圧をインバータ回路および共振回路によって交流変換し、フィラメントを有する相互に直列に接続された放電灯に与えて点灯駆動するようにした放電灯点灯装置において、接続点において２つのフィラメントは、その一方の端子が互いに接続され、他方の端子間を接続し、前記２つのフィラメントと閉ループを形成するコンデンサと、前記コンデンサの高圧の放電灯側の端子に直流電圧を印加する第１の抵抗と、前記コンデンサの高圧の放電灯側の端子の電圧を取出す第２の抵抗と、前記第２の抵抗によって取出された電圧が予め定める閾値以上であるか否かから、フィラメントの断線および／または端子外れを検出する第１の検出手段と、前記コンデンサの低圧の放電灯側の端子の電圧を取出す第３の抵抗およびダイオードの直列回路と、前記直列回路によって取出された電圧が予め定める閾値以下であるか否かから、フィラメントの断線および／または端子外れを検出する第２の検出手段と、前記第１および第２の検出手段からの出力に応答し、前記断線および／または端子外れが検出されると、前記インバータ回路の出力を抑制または停止するとともに、予熱・始動モードでは、前記第１の検出手段からの出力を無効にする制御手段とを含むことを特徴とする。
【手続補正３】
【補正対象書類名】明細書
【補正対象項目名】００３１
【補正方法】変更
【補正の内容】
【００３１】
一方、放電灯が消灯しており（予熱時や始動時を含む）、総ての端子が正常に繋がっている状態では、接続点ＰＡには、直流電源の電圧の分圧値が現れ、検出電圧ＶＫ１は高く、該検出電圧ＶＫ１による無負荷検出が行われてしまうべきところ、消灯時のマスク機能によって、その検出動作は行われなくなる。一方、接続点ＰＢにも、直流電源の電圧ＶＤＣの分圧値が現れ、検出電圧ＶＫ２は高く、検出閾値より高くなり、これによってもまた、無負荷検出は行われない。
【手続補正４】
【補正対象書類名】明細書
【補正対象項目名】００３２
【補正方法】変更
【補正の内容】
【００３２】
これに対して、他方のフィラメントの端子が総て外れている状態では、接続点ＰＡには、直流電源の電圧の分圧値が現れ、検出電圧ＶＫ１は高く、無負荷検出が行われるべきところ、前記のマスク機能によって、その検出動作は行われなくなる。しかしながら、接続点ＰＢには、直流電源の電圧の分圧値が現れ、コンデンサの充電電圧によって、検出電圧ＶＫ２は低く、無負荷検出動作が行われる。
【手続補正５】
【補正対象書類名】明細書
【補正対象項目名】００５３
【補正方法】変更
【補正の内容】
【００５３】
本発明の放電灯点灯装置は、以上のように、直流電源からの直流電圧をインバータ回路および共振回路によって交流変換し、相互に直列に接続されたフィラメントを有する放電灯に与えて点灯駆動するようにした放電灯点灯装置において、前記２つのフィラメントにおける直列に接続される端子とは他方の端子間をコンデンサで接続して閉ループを形成するとともに、前記コンデンサの高圧の放電灯側の端子に第１の抵抗によって直流電圧を印加することで、断線および／または端子外れの検出を可能にし、さらにその検出のために２つの検出手段を設け、前記コンデンサの高圧の放電灯側の端子との接続点ＰＡの電圧ＶＫ１を第２の抵抗で取出して第１の検出手段に与え、前記コンデンサの低圧の放電灯側の端子との接続点ＰＢの電圧ＶＫ２を第３の抵抗およびダイオードの直列回路で取出して第２の検出手段に与え、第１の検出手段は前記第２の抵抗によって取出された電圧が予め定める閾値以上であるか否かから、フィラメントの断線および／または端子外れを検出し、前記第２の検出手段は前記直列回路によって取出された電圧が予め定める閾値以下であるか否かから、フィラメントの断線および／または端子外れを検出し、それらの検出結果から、制御手段は、予熱・始動モードでは、前記第１の検出手段からの出力を無効にしており、点灯モードにおいて前記断線および／または端子外れが検出されると、前記インバータ回路の出力を抑制または停止する。